(57)【要約】【課題】信頼性が向上したタッチ部材を含む表示装置を提供する。【解決手段】表示装置は、フォールディング軸に沿ってフォールディングされるフォールディング領域及びフォールディング領域に隣接する平面領域に区分され、映像を生成する表示部材、及び表示部材に入力されるタッチ信号を感知するタッチ部材を含み、タッチ部材は、タッチセンサ及びタッチセンサに電気的に接続された信号配線を含み、タッチセンサは、メッシュ（ｍｅｓｈ）形状を画定する複数のメッシュ線を含み、メッシュ線のうち前記フォールディング軸と交差するメッシュ線とフォールディング軸とがなす最小角度は、９０°未満である。【選択図】図４
2016152047.tif 000002
【特許請求の範囲】
【請求項１】
フォールディング軸に沿ってフォールディングされるフォールディング領域及び前記フォールディング領域に隣接する平面領域に区分され、映像を生成する表示部材と、
前記表示部材に入力されるタッチ信号を感知するタッチ部材と、
を含み、
前記タッチ部材は、
タッチセンサと、
前記タッチセンサに電気的に接続された信号配線と、
を含み、
前記タッチセンサは、メッシュ形状を画定する複数のメッシュ線を含み、
前記メッシュ線のうち前記フォールディング軸と交差するメッシュ線と前記フォールディング軸とがなす最小角度は、９０°未満である表示装置。
【請求項２】
前記メッシュ線の各々の幅は、１０μｍ以上３０００μｍ以下の範囲であることを特徴とする請求項１に記載の表示装置。
【請求項３】
前記メッシュ線は、複数の透過部を画定し、
前記透過部の各々は、多角形の形状を有することを特徴とする請求項２に記載の表示装置。
【請求項４】
前記メッシュ線は、
一方向に延在した複数の第１メッシュ線と、
前記第１メッシュ線と交差して複数の透過部をそれぞれ画定する複数の第２メッシュ線と、
を含むことを特徴とする請求項２に記載の表示装置。
【請求項５】
前記最小角度は、０°以上４５°未満であることを特徴とする請求項４に記載の表示装置。
【請求項６】
前記透過部の各々は、斜方形の形状を有することを特徴とする請求項４に記載の表示装置。
【請求項７】
前記透過部のうち前記フォールディング領域に重畳する透過部は、前記フォールディング軸に並んだ第１対角線及び前記第１対角線と交差する第２対角線を含むことを特徴とする請求項６に記載の表示装置。
【請求項８】
前記第１対角線の長さは、前記第２対角線の長さより長いことを特徴とする請求項７に記載の表示装置。
【請求項９】
前記タッチセンサは、
前記フォールディング領域に重畳し、前記第１メッシュ線及び前記第２メッシュ線の上に配置されている第３メッシュ線と、
前記フォールディング領域に重畳し、前記第１メッシュ線及び前記第２メッシュ線の上に配置されており、前記第３メッシュ線と交差する第４メッシュ線と、
をさらに含み、
前記第１〜第４メッシュ線は、互いに電気的に接続されていることを特徴とする請求項４に記載の表示装置。
【請求項１０】
前記第３メッシュ線は、前記第１メッシュ線と並び、前記第４メッシュ線は、前記第２メッシュ線と並んでいることを特徴とする請求項９に記載の表示装置。
【請求項１１】
前記信号配線は、メッシュ形状を画定する複数の導電性ラインを含み、
前記導電性ラインは、前記メッシュ線と同一の形態に配列されていることを特徴とする請求項１に記載の表示装置。
【請求項１２】
前記タッチセンサは、
第１タッチ電極と、
前記第１タッチ電極の上に配置された絶縁層と、
前記第１タッチ電極と絶縁された第２タッチ電極と、
を含み、
前記第１タッチ電極及び前記第２タッチ電極の各々は、前記メッシュ線を含むことを特徴とする請求項１に記載の表示装置。
【請求項１３】
前記第１タッチ電極及び前記第２タッチ電極の各々は、複数設けられており、
前記第１タッチ電極の各々は、第１方向に延在し、前記第１方向と交差する第２方向に配列され、
前記第２タッチ電極の各々は、前記第２方向に延在し、前記第１方向に配列されていることを特徴とする請求項１２に記載の表示装置。
【請求項１４】
前記フォールディング軸の延在方向は、前記第１方向、又は前記第２方向と並んでいることを特徴とする請求項１３に記載の表示装置。
【請求項１５】
前記第１タッチ電極の各々は、
前記第１方向に配列された複数の第１感知部と、
前記第１感知部の間に配置されており、隣接する２つの第１感知部をそれぞれ連結する複数の第１連結部と、
を含み、
前記第２タッチ電極の各々は、
前記第２方向に配列された複数の第２感知部と、
前記第２感知部の間に配置されており、隣接する２つの第２感知部をそれぞれ連結する複数の第２連結部と、
を含み、
前記第１及び第２感知部、及び前記第１及び第２連結部の各々は、前記メッシュ線を含むことを特徴とする請求項１４に記載の表示装置。
【発明の詳細な説明】
【技術分野】
【０００１】
本発明は、表示装置に関し、詳細にはフォールダブル表示装置に関する。
【背景技術】
【０００２】
表示装置は、表示画面に多様なイメージを表示して使用者に情報を提供する。最近、曲がるフレキシブル表示部材を具備してフォールディング可能な表示装置が開発されている。また、最近の表示装置は、表示部材とタッチ部材とを含む形態に提供される。これによって、タッチ部材も表示部材に対応してフォールディングされることができる。
【０００３】
タッチ部材は、タッチイベントが発生した地点の座標情報を獲得して情報を入力する。表示部材は、タッチ部材と連結されて前記タッチ部材から入力された情報に対応する映像を表示することができる。
【０００４】
フォールダブル表示装置は、平板表示装置と異なり、紙のように折ったり、巻いたり、曲げたりすることができる。形状を多様に変化させることができるフォールダブル表示装置は、携帯が容易であり、使用者の便宜性を向上させることができる。
【先行技術文献】
【特許文献】
【０００５】
【特許文献１】米国特許公開第２０１２／００６２５１０号明細書
【特許文献２】米国特許公開第２０１４／００６２９０２号明細書
【特許文献３】韓国特許第１０−１１６７００７号公報
【特許文献４】韓国特許公開第１０−２０１４−００６２２６９号明細書
【発明の概要】
【発明が解決しようとする課題】
【０００６】
したがって、本発明の目的は、信頼性が向上されたタッチ部材を含む表示装置を提供することである。
【課題を解決するための手段】
【０００７】
本発明による表示装置は、フォールディング軸に沿ってフォールディングされるフォールディング領域及び前記フォールディング領域に隣接する平面領域に区分され、映像を生成する表示部材、及び前記表示部材に入力されるタッチ信号を感知するタッチ部材を含む。
【０００８】
前記タッチ部材は、タッチセンサ及び前記タッチセンサに電気的に接続された信号配線を含み、前記タッチセンサは、メッシュ（ｍｅｓｈ）形状を画定する複数のメッシュ線を含み、前記メッシュ線のうち前記フォールディング軸と交差するメッシュ線と前記フォールディング軸とがなす最小角度は、９０°未満であってもよい。
【０００９】
前記メッシュ線の各々の幅は、１０μｍ以上３０００μｍ以下の範囲であってもよい。
【００１０】
前記メッシュ線は、複数の透過部を画定し、前記透過部の各々は、多角形の形状を有してもよい。
【００１１】
前記多角形は、互いに異なる形状を有してもよい。
【００１２】
前記メッシュ線は、一方向に延在した複数の第１メッシュ線、及び前記第１メッシュ線と交差して複数の透過部をそれぞれ画定する複数の第２メッシュ線を含むことができる。
【００１３】
前記最小角度は、０°以上４５°未満であり、前記透過部の各々は、斜方形の形状を有することができる。
【００１４】
前記透過部のうち前記フォールディング領域に重畳する透過部は、前記フォールディング軸に並んだ第１対角線及び前記第１対角線と交差する第２対角線を含むことができる。
【００１５】
前記第１対角線の長さは、前記第２対角線の長さより長いことができる。
【００１６】
前記フォールディング軸に沿ってフォールディングされる時、前記タッチ部材の中で前記フォールディング領域と重畳する領域に圧縮応力がもたらされ得る。
【００１７】
前記フォールディング軸に沿ってフォールディングされる時、前記タッチ部材の中で前記フォールディング領域と重畳する領域に引張応力がもたらされ得る。
【００１８】
前記第１対角線の長さは、５０μｍ以上５００μｍ未満であってもよい。
【００１９】
前記タッチセンサは、前記フォールディング領域に重畳し、前記第１メッシュ線及び前記第２メッシュ線の上に配置されている第３メッシュ線及び前記フォールディング領域に重畳し、前記第１メッシュ線及び前記第２メッシュ線の上に配置されており、前記第３メッシュ線と交差する第４メッシュ線をさらに含み、前記第１〜第４メッシュ線は、互いに電気的に接続されることができる。
【００２０】
前記第３メッシュ線は、前記第１メッシュ線と並び、前記第４メッシュ線は、前記第２メッシュ線と並ぶことができる。
【００２１】
前記信号配線は、メッシュ形状を画定する複数の導電性ラインを含み、前記導電性ラインは、前記メッシュ線と同一の形態に配列されることができる。
【００２２】
前記タッチセンサは、第１タッチ電極、前記第１タッチ電極の上に配置された絶縁層、及び前記第１タッチ電極と絶縁された第２タッチ電極を含み、前記第１タッチ電極及び前記第２タッチ電極の各々は、前記メッシュ線を含むことができる。
【００２３】
前記第１タッチ電極及び第２タッチ電極の各々は、複数設けられており、前記第１タッチ電極の各々は、第１方向に延在し、前記第１方向と交差する第２方向に配列され、前記第２タッチ電極の各々は、前記第２方向に延在し、前記第１方向に配列されることができる。
【００２４】
前記フォールディング軸の延在方向は、前記第１方向、又は前記第２方向と並ぶことができる。
【００２５】
前記第１タッチ電極の各々は、前記第１方向に配列された複数の第１感知部、及び前記第１感知部との間に配置されており、隣接する２つの第１感知部をそれぞれ連結する複数の第１連結部を含み、
【００２６】
前記第２タッチ電極の各々は、前記第２方向に配列された複数の第２感知部、及び前記第２感知部との間に配置されており、隣接する２つの第２感知部をそれぞれ連結する複数の第２連結部を含み、前記第１及び第２感知部、及び前記第１、及び第２連結部の各々は、前記メッシュ線を含むことができる。
【００２７】
前記第２感知部と前記第２連結部とは、前記絶縁層を介して前記第１感知部及び前記第１連結部と断面上で離隔されることができる。
【００２８】
前記第２感知部は、前記第１センサ部と同一の層上に配置されて平面上で離隔されることができる。
【００２９】
前記表示部材は、ベース層、及び前記ベース層上に配置され、有機発光素子を含む素子層を含むことができる。
【００３０】
前記表示部材は、前記素子層をカバーする封止層をさらに含み、前記タッチセンサは、前記封止層上に配置されることができる。
【発明の効果】
【００３１】
本発明によれば、表示装置は、メッシュ形状を画定し、各々がフォールディング軸となす最小角度が９０°未満である複数のメッシュ線で構成されたタッチ部材を含む。タッチ部材がフォールディング軸に沿ってフォールディングされれば、メッシュ線のうちフォールディング領域に重畳するメッシュ線にはフォールディングによるストレスが伝達される。メッシュ線は、フォールディング軸に直交しないように形成されるので、メッシュ線に与える実質的なストレスを減少させることができる。これによって、フォールディングによるストレスによってメッシュ線の損傷を防止することができ、タッチ部材の信頼性を向上させることができる。
【図面の簡単な説明】
【００３２】
【図１Ａ】本発明の一実施形態による表示装置の斜視図である。
【図１Ｂ】本発明の一実施形態による表示装置の斜視図である。
【図１Ｃ】本発明の一実施形態による表示装置の斜視図である。
【図２】本発明の一実施形態による表示部材を構成する画素の等価回路図である。
【図３Ａ】本発明の一実施形態による表示装置の側面図である。
【図３Ｂ】本発明の一実施形態による表示装置の側面図である。
【図３Ｃ】本発明の一実施形態による表示装置の側面図である。
【図４】本発明の一実施形態によるタッチ部材の平面図である。
【図５Ａ】図４のＡＡ’を拡大して示した平面図である。
【図５Ｂ】図４のＢＢ’を拡大して示した平面図である。
【図６Ａ】本発明の一実施形態によるタッチ部材の平面図である。
【図６Ｂ】図６ＡのＣＣ’を拡大した平面図である。
【図７Ａ】本発明の一実施形態によるタッチ部材のフォールディングの回数に対する抵抗の変化率を比較して示したグラフである。
【図７Ｂ】本発明の一実施形態によるタッチ部材のフォールディングの回数に対する抵抗の変化率を比較して示したグラフである。
【図８Ａ】本発明の一実施形態によるタッチ部材の平面図である。
【図８Ｂ】本発明の一実施形態によるタッチ部材の平面図である。
【図９Ａ】本発明の一実施形態による表示装置を簡略的に示した断面図である。
【図９Ｂ】本発明の一実施形態による表示装置を簡略的に示した断面図である。
【発明を実施するための形態】
【００３３】
各図面を説明しながら、類似の参照符号を類似の構成要素に対して使用した。添付された図面において、構造物の寸法は、本発明を明確に説明するために、実際より拡大して示されている場合がある。“第１”、“第２”等の用語は、多様な構成要素を説明するために使用され得るが、前記構成要素は、用語によって限定されない。前記用語は、１つの構成要素を他の構成要素から区別する目的のみに使用される。例えば、本発明の権利範囲を逸脱せずに、第１構成要素は、第２構成要素として称されてよく、同様に、第２構成要素も第１構成要素として称されてもよい。単数の表現は、文脈上に明確に異なるような意味とされていない限り、複数の表現を含む。
【００３４】
本出願で、“含む”、又は“有する”等の用語は、明細書上に記載された特徴、数字、段階、動作、構成要素、部品、又はこれらの組合せが存在することを特定するものであり、１つ又はそれ以上の他の特徴や数字、段階、動作、構成要素、部分品、又はこれらの組合せの存在、又は付加の可能性を予め排除しないこととして理解しなければならない。また、層、膜、領域、板等の部分が他の部分“上に”あるとする場合、これは他の部分の“すぐ上に”ある場合のみでなく、その中間に他の部分がある場合も含む。反対に層、膜、領域、板等の部分が他の部分“下に”あるとする場合、これは他の部分“すぐ下に”ある場合のみでなく、その中間にその他の部分がある場合も含む。
【００３５】
以下、図面を参照して本発明に対して説明する。
【００３６】
図１Ａ〜図１Ｃは、本発明の一実施形態による表示装置の斜視図である。図２は、本発明の一実施形態による表示部材を構成する画素の等価回路図である。
【００３７】
図１Ａは、アンフォールディング（ｕｎｆｏｌｄｉｎｇ）状態の表示装置１００を示し、図１Ｂは、インフォールディング（ｉｎ−ｆｏｌｄｉｎｇ）状態の表示装置１００を示し、図１Ｃは、アウトフォールディング（ｏｕｔ−ｆｏｌｄｉｎｇ）状態の表示装置１００を示している。以下、図１Ａ〜図２を参照して、本発明の一実施形態による表示装置に対して説明する。
【００３８】
表示装置１００は、表示部材１０及びタッチ部材２０を含む。表示装置１００は、第１方向ＤＲ１及び第２方向ＤＲ２が定義する平面上で活性領域ＡＲ及び非活性領域ＮＡＲに区分される。
【００３９】
活性領域ＡＲは、タッチ部材２０が活性化される領域である。本実施形態で、活性領域ＡＲは、表示部材１０が活性化される表示領域（図示せず）及びタッチ部材２０が活性化されるタッチ領域（図示せず）が重畳する領域である。これによって、使用者は、表示装置にタッチ信号を入力すると同時に、表示される映像を通じて情報を得る。
【００４０】
非活性領域ＮＡＲは、タッチ部材２０が非活性化される領域である。非活性領域ＮＡＲは、活性領域ＡＲを活性化させるための電気的な信号が受信される配線等が配置される領域である。
【００４１】
表示部材１０は、映像を生成する。図示しないが、表示部材１０は、複数のデータライン、複数のスキャンライン、及び各々がデータラインのうち対応するデータラインとスキャンラインのうち対応するスキャンラインに連結された複数の画素を含む。
【００４２】
画素は、平面上でマトリックス形状に配列される。画素の各々は、対応するスキャンラインから受信したスキャン信号にしたがってオン−オフされ、対応するデータラインから受信したデータ信号に対応する光を生成する。画素の各々が生成した光は、映像を構成する。
【００４３】
図２には、画素の中でｉ番目のスキャンラインＳＬｉに連結され、ｊ番目のデータラインＤＬｊに連結された画素ＰＸｉｊの等価回路図を例示的に図示した。図示しないが、画素は、図２に図示された画素ＰＸｉｊと同一の等価回路図を有する。
【００４４】
図２に示したように、画素ＰＸｉｊは、少なくとも１つの薄膜トランジスタ、少なくとも１つのキャパシタ、及び少なくとも１つの表示素子を含む。本実施形態で、画素ＰＸｉｊは、第１薄膜トランジスタＴＦＴ１、第２薄膜トランジスタＴＦＴ２、１つのキャパシタＣａｐ、及び有機発光素子ＯＬＥＤを含む。
【００４５】
第１薄膜トランジスタＴＦＴ１は、ｉ番目のスキャンラインＳＬｉに連結された制御電極、ｊ番目のデータラインＤＬｊに連結された入力電極、及び出力電極を含む。第１薄膜トランジスタＴＦＴ１は、ｉ番目のスキャンラインＳＬｉに印加されたスキャン信号に対応してｊ番目のデータラインＤＬｊに印加されたデータ信号を出力する。
【００４６】
キャパシタＣａｐは、第１薄膜トランジスタＴＦＴ１に連結された第１キャパシタ電極及び第１電源電圧ＥＬＶＤＤを受信する第２キャパシタ電極を含む。キャパシタＣａｐは、第１薄膜トランジスタＴＦＴ１から受信したデータ信号に対応する電圧と第１電源電圧ＥＬＶＤＤとの差に対応する電荷量を充電する。
【００４７】
第２薄膜トランジスタＴＦＴ２は、第１薄膜トランジスタＴＦＴ１の出力電極及びキャパシタＣａｐの第１キャパシタ電極に連結された制御電極、第１電源電圧ＥＬＶＤＤを受信する入力電極、及び出力電極を含む。第２薄膜トランジスタＴＦＴ２の出力電極は、有機発光素子ＯＬＥＤに連結される。
【００４８】
第２薄膜トランジスタＴＦＴ２は、キャパシタＣａｐに格納された電荷量に対応して有機発光素子ＯＬＥＤに流れる駆動電流を制御する。キャパシタＣａｐに充電された電荷量にしたがって第２薄膜トランジスタＴＦＴ２のターンオン時間が決定される。実質的に第２薄膜トランジスタＴＦＴ２の出力電極は、有機発光素子ＯＬＥＤに第１電源電圧ＥＬＶＤＤより低いレベルの電圧を供給する。
【００４９】
有機発光素子ＯＬＥＤは、第２薄膜トランジスタＴＦＴ２に連結された第１電極及び第２電源電圧ＥＬＶＳＳを受信する第２電極を含む。有機発光素子ＯＬＥＤは、第１電極と第２電極との間に配置された発光パターンを含む。
【００５０】
有機発光素子ＯＬＥＤは、第２薄膜トランジスタＴＦＴ２のターンオンの区間の間に発光される。有機発光素子ＯＬＥＤで生成された光のカラーは、発光パターンをなす物質によって決定される。例えば、有機発光素子ＯＬＥＤで生成された光のカラーは、赤色、緑色、青色、白色の中でいずれか１つである。
【００５１】
再び、図１Ａ〜図１Ｃを参照すれば、表示部材１０は、フレキシブル（ｆｌｅｘｉｂｌｅ）な特性を有する。表示部材１０は、フォールディング軸ＦＸに沿って多様な方向にフォールディングされる。
【００５２】
例えば、図１Ｂに示したように、表示部材１０の一部分は、フォールディング軸ＦＸに沿ってフォールディングされて表示部材１０の残る他の部分の上側ＤＲ３（第３方向）に位置する。また、図１Ｃに示したように、表示部材１０の一部分は、フォールディング軸ＦＸに沿ってフォールディングされて表示部材１０の残る他の部分の下側（第３方向の反対方向）に位置する。
【００５３】
一方、図示しないが、表示部材１０は、２以上のフォールディング軸に沿ってフォールディングされ、いずれか１つの実施形態に限定されない。
【００５４】
タッチ部材２０は、表示部材１０上に配置される。タッチ部材２０は、表示部材１０に入力されるタッチ信号を感知する。タッチ部材２０は、表示部材１０の上側に配置されて表示部材１０の上側に入力されるタッチ信号を感知する。
【００５５】
タッチ部材２０は、多様な構造を有し、いずれか１つの実施形態に限定されない。例えば、タッチ部材２０は、静電容量式の構造、抵抗膜方式の構造、又は座標認識の構造を有する。以下、静電容量式の構造を有するタッチ部材２０を例示的に説明する。
【００５６】
一方、本発明の一実施形態によるタッチ部材２０は、表示部材の下側、又は表示部材１０の内部に配置されてもよい。タッチ部材２０は、表示部材１０に入力されるタッチ信号が感知できれば、多様な位置に配置されてよく、いずれか１つの実施形態に限定されない。
【００５７】
タッチ信号は、多様な方式によって入力される。図１Ａ及び図１Ｃには、身体の一部（例えば、指）を通じて入力されるタッチ信号を感知するタッチ部材２０を図示した。
【００５８】
一方、これは例示的なものであり、タッチ部材２０は、いずれか１つの実施形態に限定されない。例えば、タッチ信号は、光学式、接触式、又は磁気式等の方式で入力されてもよい。
【００５９】
タッチ部材２０は、フレキシブルな性質を有する。タッチ部材２０の少なくとも一部は、フォールディング軸ＦＸに沿ってフォールディングされる。タッチ部材２０は、図１Ｂ及び図１Ｃに示したように、１つのフォールディング軸ＦＸに沿ってインフォールディング及びアウトフォールディングが可能であるように形成される。
【００６０】
一方、図１Ｂ及び図１Ｃには、表示装置１００の少なくとも一部がフォールディング軸ＦＸに沿って実質的に１８０°回転移動してフォールディングされた実施形態を図示した。しかし、これは例示的に示したものであり、本発明による表示装置１００のフォールディング角度は、いずれか１つの実施形態に限定されない。例えば、本発明の一実施形態による表示装置１００のフォールディング状態は、フォールディング軸ＦＸに沿って所定の角度に回転移動するベンディング（ｂｅｎｄｉｎｇ）状態を含む。
【００６１】
図１Ｂを参照すれば、表示装置１００は、インフォールディング状態に変形する。インフォールディング状態の表示装置１００は、タッチ部材２０を内側に具備するので、タッチ部材２０は、外部から保護される。
【００６２】
図１Ｃを参照すれば、表示装置１００は、アウトフォールディング状態に変形する。アウトフォールディング状態の表示装置１００は、タッチ部材２０を外側に具備するので、表示装置１００は、フォールディング状態でも外部からのタッチを感知する。
【００６３】
図３Ａ〜図３Ｂは、本発明の一実施形態による表示装置の側面図である。図３Ａは、本発明の一実施形態による表示装置１００の第１側面図である。図３Ｂは、本発明の一実施形態による表示装置１００の第２側面図である。図３Ｃは、本発明の一実施形態による表示装置１００の第３側面図である。
【００６４】
第１側面図は、アンフォールディング状態の表示装置１００を示し、第２側面図は、インフォールディング状態の表示装置１００を示し、第３側面図は、アウトフォールディング状態の表示装置１００を示す。
【００６５】
図３Ａ〜図３Ｃを参照して表示装置１００のフォールディングによる変化を説明する。図３Ａ〜図３Ｃを参照して表示装置１００のフォールディングによる変化を説明する。
【００６６】
表示部材１０は、平面上でフォールディング領域ＦＡ及びフォールディング領域ＦＡに隣接する少なくとも１つの平面領域に区分される。本実施形態で、表示部材１０は、第１方向ＤＲ１に沿って順次的に配列される第１平面領域ＰＡ１、フォールディング領域ＦＡ、及び第２平面領域ＰＡ２に区分される。
【００６７】
フォールディング領域ＦＡは、フォールディング軸ＦＸと重畳する領域である。フォールディング領域ＦＡにはフォールディングによるストレスが発生する。これによって、フォールディング領域ＦＡは、ストレスによる変形が起きやすく、アンフォールディング状態のフォールディング領域ＦＡの形状とフォールディング状態のフォールディング領域ＦＡの形状とは、実質的に異なる。
【００６８】
第１及び第２平面領域ＰＡ１、ＰＡ２は、フォールディングによるストレスが発生しない領域である。したがって、アンフォールディング状態の第１及び第２平面領域ＰＡ１、ＰＡ２とフォールディング状態の第１及び第２平面領域ＰＡ１、ＰＡ２とは、実質的に同一の形状を有する。
【００６９】
一方、図３Ａ〜図３Ｃには、説明を容易にするためにタッチ部材２０の中でフォールディング領域ＦＡに重畳する領域を斜線で表示した。表示部材１０に対応してタッチ部材２０もフォールディングされるので、タッチ部材２０の中でフォールディング領域ＦＡに重畳する部分は、フォールディングによるストレスによって変形しやすい。
【００７０】
図３Ａ及び図３Ｂに示したように、表示装置１００は、フォールディング軸ＦＸに沿ってフォールディングされてインフォールディング状態になる。この時、タッチ部材２０は、内側に配置されて表示部材１０に比べて相対的にフォールディング軸ＦＸに隣接する。
【００７１】
インフォールディング状態のフォールディング領域ＦＡには圧縮応力ＰＳがもたらされる。これに対応してタッチ部材２０の中でフォールディング領域ＦＡに重畳する領域に圧縮応力ＰＳがもたらされる。したがって、タッチ部材２０の中でフォールディング領域ＦＡに重畳する部分は、圧縮応力ＰＳによって収縮又は変形する。
【００７２】
本実施形態で、表示装置１００は、所定の曲率半径ＲＣにフォールディングされる。表示部材１０及びタッチ部材２０において、断面視でフォールディング軸ＦＸに近い構成であるほど、高い圧縮応力ＰＳを受ける。これによって、インフォールディング状態のタッチ部材２０は、表示部材１０よりさらに大きい圧縮応力ＰＳを受けやすい。
【００７３】
また、図３Ａ及び図３Ｃに示したように、表示装置１００は、フォールディング軸ＦＸに沿ってフォールディングされてアウトフォールディング状態になる。この時、タッチ部材２０は、外側に配置される。
【００７４】
アウトフォールディング状態のフォールディング領域ＦＡには引張応力ＴＳがもたらされる。これに対応して、タッチ部材２０の中でフォールディング領域ＦＡに重畳する領域に引張応力ＴＳがもたらされる。したがって、タッチ部材２０の中でフォールディング領域ＦＡに重畳する部分は、引張応力ＴＳによって拡張変形する。
【００７５】
インフォールディング状態と同一の曲率半径ＲＣにフォールディングされる場合、表示部材１０及びタッチ部材２０において、断面視でフォールディング軸ＦＸから遠く離れた構成であるほど、高い引張応力ＴＳを受ける。これによって、アウトフォールディング状態のタッチ部材２０は、表示部材１０よりさらに大きい引張応力ＴＳを受けやすい。
【００７６】
一方、図３Ａ〜図３Ｃを参照すると、タッチ部材２０の中でフォールディング領域ＦＡに重畳する部分には、インフォールディング状態よりアウトフォールディング状態である時に相対的にさらに大きい変形が発生する。同一の曲率半径を基準とすると、中心から遠くなるほど、円周は、さらに大きくなる。
【００７７】
したがって、タッチ部材２０は、アウトフォールディング状態でフォールディング軸ＦＸから最も遠く離れて変形するので、アウトフォールディング状態のフォールディング領域ＦＡに相対的にさらに大きいストレス変形が起きやすい。即ち、タッチ部材２０の中でフォールディング領域ＦＡに重畳する部分は、圧縮応力ＰＳを受ける時より引張応力ＴＳを受ける時にさらに大きい損傷が発生しやすい。これに対する詳細な説明は、後述する。
【００７８】
図４は、本発明の一実施形態によるタッチ部材の平面図である。図５Ａは、図４のＡＡ’を拡大して示した平面図である。図５Ｂは、図４のＢＢ’を拡大して示した平面図である。図４〜図５Ｂを参照してタッチ部材２０を具体的に説明する。
【００７９】
タッチ部材２０は、タッチセンサ及び信号配線を含む。タッチセンサは、第１電極ＴＥ１及び第２電極ＴＥ２を含む。信号配線は、第１配線ＴＷ１及び第２配線ＴＷ２を含む。
【００８０】
第１電極ＴＥ１と第２電極ＴＥ２とは、絶縁層を介して互いに離隔されて配置される。図３では、容易に説明するために絶縁層を省略して図示しており、第２電極ＴＥ２は、第１電極ＴＥ１と互いに異なる層上に配置されるので、点線で図示した。
【００８１】
第１電極ＴＥ１は、絶縁層の上側に配置される。第１電極ＴＥ１は、複数の第１タッチ電極ＴＥ１ａ、ＴＥ１ｂ、ＴＥ１ｃを含む。第１タッチ電極ＴＥ１ａ、ＴＥ１ｂ、ＴＥ１ｃの各々は、第１方向ＤＲ１に延在し、前記第１方向ＤＲ１と交差する第２方向ＤＲ２に互いに離隔されて配列される。
【００８２】
第２電極ＴＥ２は、絶縁層の下側に配置される。第２電極ＴＥ２は、複数の第２タッチ電極ＴＥ２ａ、ＴＥ２ｂ、ＴＥ２ｃを含む。第２タッチ電極ＴＥ２ａ、ＴＥ２ｂ、ＴＥ２ｃの各々は、前記第２方向ＤＲ２に延在し、前記第１方向ＤＲ１に互いに離隔されて配列される。
【００８３】
本実施形態で、フォールディング軸ＦＸは、第２方向と並ぶように定義される。これによって、第２タッチ電極ＴＥ２ａ、ＴＥ２ｂ、ＴＥ２ｃの各々の形状は、フォールディング軸ＦＸと平行である。
【００８４】
図５Ａには、第１タッチ電極ＴＥ１ａ、ＴＥ１ｂ、ＴＥ１ｃの中で１つの第１タッチ電極ＴＥ１ｃの一部を拡大して図示した。図５Ａに示したように、第１タッチ電極ＴＥ１ｃは、メッシュ（ｍｅｓｈ）形状を画定する複数のメッシュ線を含む。
【００８５】
一方、第２タッチ電極ＴＥ２ａ、ＴＥ２ｂ、ＴＥ２ｃ及び残る第１タッチ電極ＴＥ１ａ、ＴＥ１ｂも第１タッチ電極ＴＥ１ｃと同一の形状を有し、以下、第２タッチ電極ＴＥ２ａ、ＴＥ２ｂ、ＴＥ２ｃ及び残る第１タッチ電極ＴＥ１ａ、ＴＥ１ｂに対する説明は、省略する。
【００８６】
メッシュ線は、一方向に延在した複数の第１メッシュ線ＭＰ−Ｔ１及び第１メッシュ線ＭＰ−Ｔ１と交差する方向に延在した複数の第２メッシュ線ＭＰ−Ｔ２を含む。
【００８７】
第１及び第２メッシュ線ＭＰ−Ｔ１、ＭＰ−Ｔ２の各々は、微細な幅（線幅）を有する。第１及び第２メッシュ線ＭＰ−Ｔ１、ＭＰ−Ｔ２の各々の幅は、３０００μｍ以下である。例えば、第１及び第２メッシュ線ＭＰ−Ｔ１、ＭＰ−Ｔ２の各々の幅は、１０μｍ以上３０００μｍ以下の範囲である。
【００８８】
本発明によるタッチセンサは、微細な幅を有する第１及び第２メッシュ線ＭＰ−Ｔ１、ＭＰ−Ｔ２を含むことによって、パターンが視認されないようにすることができる。これによって、表示領域とタッチセンサが重畳されて配置されても、タッチセンサが表示される映像の視認性に及ぼす影響を減少させることができる。
【００８９】
第１メッシュ線ＭＰ−Ｔ１の各々がフォールディング軸ＦＸとなす角度の中で最小角度ＡＧＦ−Ｔ１は、９０°未満である。また、第２メッシュ線ＭＰ−Ｔ２の各々がフォールディング軸ＦＸとなす角度の中で最小角度ＡＧＦ−Ｔ２は、９０°未満である。
【００９０】
タッチ部材２０がフォールディング軸ＦＸに沿ってフォールディングされることによって、第１メッシュ線ＭＰ−Ｔ１と第２メッシュ線ＭＰ−Ｔ２との中でフォールディング領域（図示せず）に重畳するメッシュ線は、フォールディングによるストレスを受ける。フォールディングによるストレスは、フォールディング軸ＦＸに垂直の方向に最も強く現れる。
【００９１】
視認性の向上のために第１及び第２メッシュ線ＭＰ−Ｔ１、ＭＰ−Ｔ２は、微細な幅と厚さとを有するので、フォールディングによるストレスによって第１及び第２メッシュ線ＭＰ−Ｔ１、ＭＰ−Ｔ２が損傷しやすい。本発明の一実施形態による第１及び第２メッシュ線ＭＰ−Ｔ１、ＭＰ−Ｔ２は、フォールディング軸ＦＸと９０°未満の角度をなすように配置される。
【００９２】
第１及び第２メッシュ線ＭＰ−Ｔ１、ＭＰ−Ｔ２とフォールディング軸ＦＸとなす角度が０°に近くなるほど、第１及び第２メッシュ線ＭＰ−Ｔ１、ＭＰ−Ｔ２に及ばれるストレスは、減少する。これによって、本発明によるタッチ部材２０は、フォールディングによるタッチセンサの損傷を防止することができる。
【００９３】
メッシュ線は、互いに交差して複数の透過部ＴＡを画定する。透過部ＴＡの各々は、多様な形状を有してもよい。透過部ＴＡは、同一であるか、或いは互いに異なる形状を有し、円形、楕円形、又は多角形等の形状を有することができる。
【００９４】
本実施形態で、透過部ＴＡの各々は、多角形の形状を有する。第１メッシュ線ＭＰ−Ｔ１と第２メッシュ線ＭＰ−Ｔ２とは、多様な配列間隔及び多様な角度をなし、互いに交差する。透過部ＴＡの各々の形状は、第１メッシュ線ＭＰ−Ｔ１の配列間隔、第２メッシュ線ＭＰ−Ｔ２の配列間隔、及び第１メッシュ線ＭＰ−Ｔ１と第２メッシュ線ＭＰ−Ｔ２との交差角度によって変わられる。
【００９５】
第１メッシュ線ＭＰ−Ｔ１と第２メッシュ線ＭＰ−Ｔ２とが互いに交差することにより画定された透過部ＴＡの各々は、斜方形の形状を有する。即ち、第１及び第２メッシュ線ＭＰ−Ｔ１、ＭＰ−Ｔ２の各々は、互いに同一の間隔に配列される。
【００９６】
透過部ＴＡの各々は、第１対角線Ｐｘ及び第２対角線Ｐｙを含む。第１対角線Ｐｘは、フォールディング軸Ｆｘに並んだ方向に延在する。第１対角線Ｐｘは、フォールディング軸Ｆｘと平行である。
【００９７】
第２対角線Ｐｙは、第１対角線Ｐｘと交差する。透過部ＴＡの各々が斜方形の形状を有するので、第２対角線Ｐｙは、第１対角線Ｐｘと直交する。したがって、第２対角線Ｐｙは、フォールディング軸Ｆｘと垂直をなす。
【００９８】
第１対角線Ｐｘの長さは、第２対角線Ｐｙの長さより長い。この時、第１メッシュ線ＭＰ−Ｔ１とフォールディング軸ＦＸとなす最小角度及び第２メッシュ線ＭＰ−Ｔ２とフォールディング軸ＦＸとなす最小角度の各々は、０°以上４５°未満である。
【００９９】
これによって、透過部ＴＡの各々は、フォールディング軸Ｆｘと並んだ方向（横方向）に長い斜方形の形状を有する。本発明の一実施形態によるタッチ部材２０は、横方向に長い透過部を画定するメッシュ形状を有することによって、フォールディングによる導電部の損傷を容易に防止することができる。
【０１００】
再び、図４を参照すれば、第１配線ＴＷ１は、第１電極ＴＥ１と同一の層上に配置される。第１配線ＴＷ１は、複数に具備される。複数の第１配線ＴＷ１ａ、ＴＷ１ｂ、ＴＷ１ｃは、第１タッチ電極ＴＥ１ａ、ＴＥ１ｂ、ＴＥ１ｃの各々に連結される。
【０１０１】
第２配線ＴＷ２は、第２電極ＴＥ２と同一の層上に配置される。第２配線ＴＷ２は、複数に具備される。複数の第２配線ＴＷ２ａ、ＴＷ２ｂ、ＴＷ２ｃは、第２タッチ電極ＴＥ２ａ、ＴＥ２ｂ、ＴＥ２ｃの各々に連結される。
【０１０２】
図５Ｂには、第２配線ＴＷ２ａ、ＴＷ２ｂ、ＴＷ２ｃの中で１つの第２配線ＴＷ２ａの一部を拡大して図示した。図５Ｂに示したように、第２配線ＴＷ２ａは、メッシュ形状を画定する複数の導電ラインを含む。一方、第１配線ＴＷ１ａ、ＴＷ１ｂ、ＴＷ１ｃ及び残る第２配線ＴＷ２ｂ、ＴＷ２ｃも第２配線ＴＷ２ａと同一の形状を有し、以下、第１配線ＴＷ１ａ、ＴＷ１ｂ、ＴＷ１ｃ及び残る第２配線ＴＷ２ｂ、ＴＷ２ｃに対する説明は、省略する。
【０１０３】
導電性ラインは、複数の第１導電性ラインＭＰ−Ｗ１及び複数の第２導電性ラインＭＰ−Ｗ２を含む。第１導電性ラインＭＰ−Ｗ１は、第２導電性ラインＭＰ−Ｗ２と交差する。本実施形態で、第１導電性ラインＭＰ−Ｗ１と第２導電性ラインＭＰ−Ｗ２との各々は、一定の間隔に離隔されて配列される。
【０１０４】
第１導電性ラインＭＰ−Ｗ１の各々がフォールディング軸ＦＸとなす最小角度ＡＧＦ−Ｗ１と第２導電性ラインＭＰ−Ｗ２との各々がフォールディング軸ＦＸとなす最小角度ＡＧＦ−Ｗ２は、９０°未満である。これによって、第２配線ＴＷ２ｂがフォールディング軸ＦＸに直交する方向に延在した形状であっても、第２配線ＴＷ２ｂを構成する第１導電性ラインＭＰ−Ｗ１及び第２導電性ラインＭＰ−Ｗ２がフォールディング軸ＦＸと９０°未満の角度で交差するので、フォールディングによって第２装置配線ＴＷ２ｂに加わるストレスが減少する。
【０１０５】
この時、導電性ラインＭＰ−Ｗ１、ＭＰ−Ｗ２は、メッシュ線ＭＰ−Ｔ１、ＭＰ−Ｔ２と同一の形態に配列される。第１導電性ラインＭＰ−Ｗ１は、第１メッシュ線ＭＰ−Ｔ１に対応され、第２導電性ラインＭＰ−Ｗ２は、第２メッシュ線ＭＰ−Ｔ２に対応する。
【０１０６】
これによって、導電性ラインＭＰ−Ｗ１、ＭＰ−Ｗ２が画定する複数の透過部ＴＡの各々は、第１対角線Ｐｘ及び第２対角線Ｐｙを含む。この時、第１対角線Ｐｘは、第２対角線Ｐｙより長い。
【０１０７】
第１対角線Ｐｘ、又は第２対角線Ｐｙの長さは、フォールディングによるタッチセンサの損傷が緩和され得るものでありつつ、タッチ感度が低下しない長さを有する。例えば、第１対角線Ｐｘの長さは、約５０μｍ以上約５００μｍ未満である。
【０１０８】
一方、図示しないが、第２配線ＴＷ２は、フォールディング軸ＦＸと重畳しない領域に配置される。第１配線ＴＷ１及び第２配線ＴＷ２をフォールディング軸ＦＸと重畳しないように配置することによって、フォールディングによるストレスが信号配線に及ぼす影響を根本的に遮断することができる。
【０１０９】
再び、図４を参照すれば、本実施形態によるタッチ部材２０は、パッドをさらに含む。タッチセンサは、パッドを通じて外部から電気的な信号を受信するか、或いは外部に電気的な信号を提供する。
【０１１０】
パッドは、第１パッドＴＰ１及び第２パッドＴＰ２を含む。第１パッドＴＰ１及び第２パッドＴＰ２の各々は、複数に具備される。本実施形態で、第１パッドＴＰ１は、第１配線ＴＷ１ａ、ＴＷ１ｂ、ＴＷ１ｃの各々に対応する第１パッドＴＰ１ａ、ＴＰ１ｂ、ＴＰ１ｃを含み、第２パッドＴＰ２は、第２配線ＴＷ２ａ、ＴＷ２ｂ、ＴＷ２ｃの各々に対応する第２パッドＴＰ２ａ、ＴＰ２ｂ、ＴＰ２ｃを含む。
【０１１１】
一方、図４では、第２パッドＴＰ２ａ、ＴＰ２ｂ、ＴＰ２ｃが第１パッドＴＰ１ａ、ＴＰ１ｂ、ＴＰ１ｃと異なる層上に配置された実施形態を図示したが、本発明は、これに限定されない。
【０１１２】
例えば、本発明の一実施形態による第２パッドＴＰ２ａ、ＴＰ２ｂ、ＴＰ２ｃは、第１パッドＴＰ１ａ、ＴＰ１ｂ、ＴＰ１ｃと同一の層上に配置され、別途の貫通ホールを通じて他の層上に配置された第２配線ＴＷ２ａ、ＴＷ２ｂ、ＴＷ２ｃに電気的に接続されてもよい。この時、タッチセンサは、１つの層を通じて外部と電気的に接続され、外部構成との組立が容易である。
【０１１３】
図６Ａは、本発明の一実施形態によるタッチ部材の平面図である。図６Ｂは、図６ＡのＣＣ’を拡大した平面図である。一方、図１〜図５Ｂで示した構成と同一の構成に対しては、同一の参照符号を付し、具体的な説明は、省略する。
【０１１４】
図６Ａに示したように、タッチ部材２０−１は、付加部ＡＰ（ａｄｄｉｎｇ  ｐａｒｔｓ）をさらに含む。付加部ＡＰは、フォールディング軸ＦＸに重畳して配置される。付加部ＡＰは、フォールディング領域の少なくとも一部をカバーすることができ、平面領域の中でフォールディング領域に隣接する領域まで延在してもよい。
【０１１５】
付加部ＡＰは、第１タッチ電極ＴＥ１ａ、ＴＥ１ｂ、ＴＥ１ｃをそれぞれ構成する。一方、これは例示的に示したものであり、付加部ＡＰは、第２タッチ電極ＴＥ２ａ、ＴＥ２ｂ、ＴＥ２ｃ、第１配線ＴＷ１ａ、ＴＷ１ｂ、ＴＷ１ｃ、及び第２配線ＴＷ２ａ、ＴＷ２ｂ、ＴＷ２ｃの中でフォールディング軸ＦＸと重畳する領域にさらに配置されることができ、いずれか１つの実施形態に限定されない。
【０１１６】
図６Ｂに示したように、付加部ＡＰは、複数の第３メッシュ線ＭＰ−Ｔ３及び第３メッシュ線ＭＰ−Ｔ３と交差する複数の第４メッシュ線ＭＰ−Ｔ４とを含む。第３及び第４メッシュ線ＭＰ−Ｔ３、ＭＰ−Ｔ４は、第１及び第２メッシュ線ＭＰ−Ｔ１、ＭＰ−Ｔ２上に配置される。
【０１１７】
第３及び第４メッシュ線ＭＰ−Ｔ３、ＭＰ−Ｔ４は、第１及び第２メッシュ線ＭＰ−Ｔ１、ＭＰ−Ｔ２上に付加して形成される。第１〜第４メッシュ線ＭＰ−Ｔ１、ＭＰ−Ｔ２、ＭＰ−Ｔ３、ＭＰ−Ｔ４は、互いに電気的に接続される。
【０１１８】
この時、第３メッシュ線ＭＰ−Ｔ３は、第１メッシュ線ＭＰ−Ｔ１と並ぶ。第４メッシュ線ＭＰ−Ｔ４は、第２メッシュ線ＭＰ−Ｔ２と並ぶ。これによれば、第３メッシュ線ＭＰ−Ｔ３と第４メッシュ線ＭＰ−Ｔ４とは、第１メッシュ線ＭＰ−Ｔ１及び第２メッシュ線ＭＰ−Ｔ２と同一のマスクを利用して形成される。
【０１１９】
付加部ＡＰは、フォールディング軸ＦＸに重畳する領域の導電部の密度を向上させる。これによって、フォールディングによるストレスに対する耐性が向上し、導電部の一部分が断線しても、タッチ部材の全体の抵抗の変化率が受ける影響は低減され得る。
【０１２０】
本発明の一実施形態によるタッチ部材２０−１は、付加部ＡＰをさらに含むことによって、フォールディングによる信頼性が向上し、フォールディングの回数に関わらず、安定的に電気的な特性を有する表示装置を提供する。
【０１２１】
図７Ａ及び図７Ｂは、本発明の一実施形態によるタッチ部材の、フォールディングの回数に対する抵抗の変化率を比較して示したグラフである。図７Ａは、インフォールディング状態のタッチ部材の抵抗の変化率を示し、図７Ｂは、アウトフォールディング状態のタッチ部材の抵抗の変化率を示している。
【０１２２】
図７Ａ及び図７Ｂには、複数のメッシュ線を含む１つのタッチ電極を基準に測定した結果を図示した。メッシュ線は、フォールディングによるストレスによって、断線しやすい。
【０１２３】
メッシュ線は、互いに電気的に接続されているので、メッシュ線のうちいずれか１つの線が断線しても、残る他のメッシュ線を通じて電気的な信号が伝達され得る。但し、断線が増加することによって、電気的な信号が伝達されるための通路が減少するので、タッチ部材の抵抗は増加する。
【０１２４】
したがって、メッシュ線の損傷が大きいほど、抵抗の変化率は増加し、抵抗の変化率が大きいほど、電気的な特性が低下する。以下、図７Ａ及び図７Ｂを参照して、タッチ部材のフォールディングによる電気的な特性の変化を説明する。
【０１２５】
図７Ａには、フォールディング軸となす最小角度が９０°であるメッシュ線を含む比較例ＰＬ１、フォールディング軸となす最小角度が約４０°であるメッシュ線を含む第１実施形態ＰＬ２、及びフォールディング軸となす最小角度が約３０°であるメッシュ線を含む第２実施形態ＰＬ３を図示した。
【０１２６】
先に上述したように、フォールディングによるストレスは、フォールディング軸と直交する方向で最も大きく現れ、フォールディング軸と並んだ方向であるほど、ストレスは相対的に緩和される。これによって、比較例ＰＬ１は、少ないフォールディングの回数に対しても抵抗の変化率が急激に増加する傾向を示す。
【０１２７】
これと異なり、第１実施形態ＰＬ２及び第２実施形態ＰＬ３は、フォールディングの回数が増加することによる抵抗の変化率の差がほとんどなく、現れる抵抗の変化率も約５％未満で微細に示されている。これによって、フォールディング軸となす最小角度が９０°未満のメッシュ線を含む第１実施形態ＰＬ２及び第２実施形態ＰＬ３では、フォールディングにより受ける影響は比較的少ない。
【０１２８】
同様に、図７Ｂに示したように、アウトフォールディング状態の比較例ＰＬ４は、インフォールディング状態の比較例ＰＬ１と同様に、フォールディングの回数が増加することによって抵抗の変化率が急激に増加する傾向を示す。アウトフォールディング状態の第１実施形態ＰＬ５とアウトフォールディング状態の第２実施形態ＰＬ６とは、フォールディングの回数が増加することによる抵抗の変化率が相対的に一定に示される。
【０１２９】
一方、図７Ａ及び図７Ｂを参照すれば、フォールディング軸となす最小角度が約４０°であるメッシュ線を含む第１実施形態ＰＬ２、ＰＬ５は、アウトフォールディング状態でインフォールディング状態より抵抗の変化率が相対的に不均一に示される。
【０１３０】
図３Ａ〜図３Ｃで、上述したように、タッチ部材２０は、アウトフォールディング状態でフォールディング軸ＦＸから最も遠く離れて変形するので、インフォールディング状態より相対的にさらに大きいストレス変形が起きやすい。フォールディング軸となす最小角度が約４０°のメッシュ線を含む第１実施形態ＰＬ２、ＰＬ５は、同一の角度であっても、フォールディング状態によって損傷の程度が異なる。
【０１３１】
これと異なり、フォールディング軸となす最小角度が約３０°のメッシュ線を含む第２実施形態ＰＬ３、ＰＬ６は、フォールディング方向による抵抗の変化率の差がほとんどないことが分かる。これによって、本発明のこの実施形態によるタッチ部材は、フォールディング軸となす最小角度が約３０°以下のメッシュ線を含むことによって、フォールディング方向に関係なく、フォールディングによるストレスに対して安定的で電気的な特性を維持することができる。
【０１３２】
図８Ａ及び図８Ｂは、本発明の一実施形態によるタッチ部材の平面図である。以下、図８Ａ及び図８Ｂを参照して、タッチ部材の多様な実施形態を説明する。一方、図１〜図７Ｂで、説明した構成と同一の構成に対しては、同一の参照符号を付し、具体的な説明は、省略する。
【０１３３】
図８Ａに示したように、タッチセンサを構成する第１電極ＴＥ１−１と第２電極ＴＥ２−１とは、図示されていない絶縁層を介して互いに異なる層上に配置される。第１電極ＴＥ１−１を構成する複数の第１タッチ電極ＴＥ１ａ−１、ＴＥ１ｂ−１、ＴＥ１ｃ−１の各々は、複数の第１感知部ＳＰ１及び複数の第１連結部ＣＰ１を含む。
【０１３４】
第１感知部ＳＰ１は、第１方向ＤＲ１に配列される。第１連結部ＣＰ１の各々は、第１方向ＤＲ１に延在して第１感知部ＳＰ１のうち隣接する２つの感知部を連結する。
【０１３５】
第２電極ＴＥ２−１を構成する複数の第２タッチ電極ＴＥ２ａ−１、ＴＥ２ｂ−１、ＴＥ２ｃ−１の各々は、複数の第２感知部ＳＰ２及び複数の第２連結部ＣＰ２を含む。第２感知部ＳＰ２は、第２方向ＤＲ２に配列される。
【０１３６】
第２連結部ＣＰ２の各々は、第１連結部ＣＰ１と交差する。第２連結部ＣＰ２の各々は、第２方向ＤＲ２に延在して第２感知部ＳＰ２のうち隣接する２つの感知部を連結する。
【０１３７】
図８Ｂに示したように、タッチセンサを構成する第１電極ＴＥ１−１と第２電極ＴＥ２−２とは、同一の層上に配置されてもよい。例えば、第２感知部ＳＰ２は、第１感知部ＳＰ１と同一の層上に配置されて平面上で離隔される。
【０１３８】
この時、タッチ部材２０−３は、第２連結部ＣＰ２−１と第１連結部ＣＰ１との間を絶縁させる複数の絶縁パターンＩＰをさらに含む。絶縁パターンＩＰは、第１感知部ＳＰ１及び第２感知部ＳＰ２と同一の層上に配置され、第１連結部ＣＰ１に重畳する。
【０１３９】
第２連結部ＣＰ２−１は、絶縁パターンＩＰ上に配置され、第１連結部ＣＰ１から電気的に絶縁される。第２連結部ＣＰ２−１は、絶縁パターンＩＰの外側に延在して隣接する２つの感知部を連結する。一方、図示しないが、本発明の一実施形態で第２連結部ＣＰ２−１は、絶縁パターンＩＰを貫通して第２感知部ＳＰ２と連結されてもよい。
【０１４０】
図９Ａ及び図９Ｂは、本発明の一実施形態による表示装置を簡略的に示した断面図である。以下、図９Ａ及び図９Ｂを参照して、本発明による表示装置の層構造を説明する。一方、図１〜図８Ｂに図示された構成と同一の構成に対しては、同一の参照符号を付し、具体的な説明は、省略する。
【０１４１】
図９Ａ及び図９Ｂに示したように、表示部材１０は、ベース層ＢＳ、素子層ＥＬ、及び封止層ＥＣＬを含む。ベース層ＢＳは、軟性を有する多様なプラスチック材質で形成される。例えば、ベース層ＢＳは、ＰＥＴ（ｐｏｌｙｅｔｈｙｌｅｎｅ  ｔｅｒｅｐｈｔｈａｌａｔｅ）、ＰＥＮ（ｐｏｌｙｅｔｈｙｌｅｎｅ  ｎａｐｈｔｈａｌａｔｅ）、ＰＣ（ｐｏｌｙｃａｒｂｏｎａｔｅ）、ＰＥＳ（ｐｏｌｙｅｔｈｅｒｓｕｌｆｏｎｅ）、ＰＡＲ（ｐｏｌｙａｒｙｌａｔｅ）、ＰＳＦ（ｐｏｌｙｓｕｌｆｏｎｅ）、ＣＯＣ（ｃｙｃｌｉｃ−ｏｌｅｆｉｎ  ｃｏｐｏｌｙｍｅｒ）、ＰＩ（ｐｏｌｙｉｍｉｄｅ）、ＰＩ−フルオロ（ｆｌｕｏｒｏ）系の高分子化合物、ＰＥＩ（ｐｏｌｙｅｔｈｅｒｉｍｉｄｅ）、エポキシ樹脂（ｅｐｏｘｙ  ｒｅｓｉｎ）等の材質で形成されることができる。
【０１４２】
素子層ＥＬは、ベース層ＢＳ上に配置される。上述したように、本明細書では表示部材１０が有機発光表示パネルである場合を例示的に説明した。これによって、素子層ＥＬは、図２に図示された有機発光素子ＯＬＥＤ、薄膜トランジスタＴＦＴ１、ＴＦＴ２、及びキャパシタＣａｐを含むことができる。
【０１４３】
封止層ＥＣＬは、ベース層ＢＳ上に配置されて素子層ＥＬをカバーする。封止層ＥＣＬは、外部に存在する水分や酸素から素子層ＥＬを保護する。
【０１４４】
封止層ＥＣＬは、透明な絶縁性の物質で構成される。封止層ＥＣＬは、有機物及び無機物のうち少なくともいずれか一つを含むことができる。封止層ＥＣＬは、単層又は多層の構造であってもよい。
【０１４５】
封止層ＥＣＬは、約１〜１０μｍの厚さを有する。この時、表示部材１０は、封止層ＥＣＬによって封止（ｅｎｃａｐｓｕｌａｔｉｏｎ）されることによって、表示装置のスリム化に寄与する。
【０１４６】
一方、図示しないが、封止層ＥＣＬは、ベース層ＢＳと実質的に同一の厚さを有する。この時、封止層ＥＣＬとベース層ＢＳとの間には封止層ＥＣＬを支持するためのシーリング部材がさらに配置されてもよい。封止層ＥＣＬは、多様な構造であり、いずれか１つの実施形態に限定されない。
【０１４７】
図９Ａに示したように、タッチ部材２０は、第１導電層ＣＬ１、絶縁層ＩＬ、及び第２導電層ＣＬ２を含む。図４を参照する時、第１導電層ＣＬ１は、第２電極ＴＥ２、第２配線ＴＷ２、及び第２パッドＴＰ２を含み、第２導電層ＣＬ２は、第１電極ＴＥ１、第１配線ＴＷ１、及び第１パッドＴＰ１を含む。
【０１４８】
この時、第１電極ＴＥ１及び第２導電層ＣＬ２で構成されたタッチセンサは、封止層ＥＣＬ上に直接配置される。これによって、第１導電層ＣＬ１は、封止層ＥＣＬの上面に接触する。本発明の一実施形態にタッチセンサは、封止層ＥＣＬ上に直接配置されることによって、スリムな表示装置が提供される。
【０１４９】
図９Ｂに示したように、タッチ部材２０−１は、ベース層ＢＬをさらに含む。ベース層ＢＬは、軟性を有する多様なプラスチック材質で形成される。例えば、ベース層ＢＬは、ベース層ＢＳと同一の物質で構成されてもよい。
【０１５０】
一方、図示しないが、ベース層ＢＬと封止層ＥＣＬとの間には接着層がさらに含まれてもよい。この時、表示装置は、タッチ部材２０−１と表示部材１０とをそれぞれ別々に形成した後に、タッチ部材２０−１を表示部材１０上に配置する組立過程を通じて形成されてもよい。
【０１５１】
タッチ部材２０−１が別途のベース層ＢＬをさらに含むことによって、タッチ部材２０−１の信頼性を向上させることができる。また、タッチ部材２０−１と表示部材１０とがそれぞれ独立した工程を通じて形成されるので、表示装置の収率を向上させることができる。
【０１５２】
以上の本発明の目的、他の目的、特徴、及び長所は、添付された図面に関連する以下の望ましい実施形態を通じて容易に理解できる。しかし、本発明は、ここで、説明される実施形態に限定されるものではなく、他の形態に具体化されてもよい。むしろ、ここで紹介される実施形態は、通常の技術者に本発明の思想が十分に伝達され得るようにするために提供される。
【符号の説明】
【０１５３】
１００  表示装置
１０  表示部材
２０  タッチ部材
ＡＲ  活性領域
ＮＡＲ  非活性領域
ＳＬ  スキャンライン
ＤＬ  データライン
Ｃａｐ  キャパシタ
ＴＦＴ  薄膜トランジスタ
ＥＬＶＤＤ  第１電源電圧
ＯＬＥＤ  有機発光素子
ＰＸ  画素
ＥＬＶＳＳ  第２電源電圧
ＦＸ  フォールディング軸
ＦＡ  フォールディング領域
ＰＡ１  第１平面領域
ＰＡ２  第２平面領域
ＰＳ  圧縮応力
ＴＳ  引張応力
ＲＣ  曲率半径
ＡＧＦ  最小角度
ＴＥ１  第１電極
ＴＥ２  第２電極
ＴＷ１  第１配線
ＴＷ２  第２配線
ＴＰ１  第１パッド
ＴＰ２  第２パッド
ＭＰ−Ｔ１  第１メッシュ線
ＭＰ−Ｔ２  第２メッシュ線
ＴＡ  透過部
Ｐｘ  第１対角線
Ｐｙ  第２対角線
ＴＷ１  第１配線
ＴＷ２  第２配線
ＡＰ  付加部
ＳＰ  感知部
ＣＰ  連結部
ＢＳ  ベース層
ＥＣＬ  封止層
ＥＬ  素子層
ＣＬ  導電層
【図１Ａ】
2016152047.tif 000003
【図１Ｂ】
2016152047.tif 000004
【図１Ｃ】
2016152047.tif 000005
【図２】
2016152047.tif 000006
【図３Ａ】
2016152047.tif 000007
【図３Ｂ】
2016152047.tif 000008
【図３Ｃ】
2016152047.tif 000009
【図４】
2016152047.tif 000010
【図５Ａ】
2016152047.tif 000011
【図５Ｂ】
2016152047.tif 000012
【図６Ａ】
2016152047.tif 000013
【図６Ｂ】
2016152047.tif 000014
【図７Ａ】
2016152047.tif 000015
【図７Ｂ】
2016152047.tif 000016
【図８Ａ】
2016152047.tif 000017
【図８Ｂ】
2016152047.tif 000018
【図９Ａ】
2016152047.tif 000019
【図９Ｂ】
2016152047.tif 000020